(57)【要約】【課題】小エリア用無線機のアンテナと簡易用無線機のアンテナとを同じ構造となるようにすること、及びサービスマンが容易にアンテナの着脱作業を行うことができるようにすると共に、サービスマン以外の者による違法改造を防ぐことができる構造の無線機を提供することを目的とする。【解決手段】アンテナにおいてはその先端円筒部の外周に水平方向の溝１ｅを設けると共に、無線機ハウジング側においては溝１ｅに対応した位置でラジアル方向にメネジ５ａを設ける。更に、メネジ５ａに特殊ネジ６を締め込むことにより、アンテナを固定する構造となるようにする。【選択図】  図１
2004253841.tif 000002
【特許請求の範囲】
【請求項１】
ＳＭＡタイプ等のネジ込み方式のコネクタを実装した無線機のアンテナにおいて、
前記無線機への接続部で内側にネジ部を形成した円筒形接続部（以下、接続部と称する）の外周面に水平方向の溝を設けるように構成したことを特徴とするアンテナ。
【請求項２】
請求項１記載のアンテナに設けた水平方向の溝（前記接続部の水平溝）に合う位置でラジアル方向にメネジを前記無線機のハウジングに設け、前記メネジに六角穴付止めネジ等の特殊オネジを締め込むように構成したことを特徴とするアンテナ固定部構造。
【請求項３】
請求項２記載のアンテナ固定部構造において、
前記ハウジングのメネジの外側に凹部を設け、該凹部に前記メネジを隠すシールを装着するように構成したことを特徴とするアンテナ固定部構造。
【発明の詳細な説明】
【０００１】
【発明の属する技術分野】
本発明は、無線機のアンテナに関するものである。
【０００２】
【従来の技術】
従来のアンテナ固定部構造の一例について、図４〜７を参照して説明する。  図６は従来の無線機の外観を示す背面図、図５は従来の無線機におけるアンテナの構造を示す側面図（部分断面図）、図４は図５のアンテナ固定部の構造を示す部分拡大図（断面図）、図７はアンテナの着脱方法を示す斜視図である。アンテナ接栓２はシャーシ３にネジ９と板ナット８により固定されている。アンテナ１は、外皮１ｂに接着された金属製の外筒１１（外皮１ｂと外筒１１とを一体にして１つの部品としてもよい）の内側に軸１２が内蔵されている構成になっており、コイルバネ１０により垂直方向に押された状態にある。ここでアンテナ１の固定はメネジ１ａとオネジ２ａの締め付けによるが、小エリア用無線機の場合、サービスマン以外の者（例えば、ユーザー）による違法改造を防ぐため、アンテナの取り外しを防止できる構造にすることが要求されている。そこで、本無線機では、外皮１ａと外筒１１を上方にずらすことで、図７に示すようにメネジ１ａの先端に設けられた溝１ｃを覗かせ、溝１ｃに工具１３の先端を掛けて回転させることで締め付けることによりアンテナ１を固定している。
【０００３】
【発明が解決しようとする課題】
前述の従来の小エリア用無線機の場合、外皮を回しただけでは、外皮だけが空回りする（軸は回らない）構造となっているため、完全にアンテナ接栓に固定することができない。逆に、簡易用無線機のアンテナは取り外しが容易に行える構造であり、小エリア用無線機のアンテナとは異なる構造となっている。従って、小エリア用無線機の筐体と簡易用無線機の筐体が同一であっても、アンテナは小エリア用無線機のアンテナと簡易用無線機のアンテナ（２種類のアンテナ）を用意しなければならないという欠点がある。
【０００４】
また、小エリア用無線機ではコイルバネのテンションが強めである（外筒に対するコイルバネの押付力が大きい）ために、外皮を上方にずらしながらメネジ（アンテナ内部にある軸のメネジ）の先端に設けられた溝に工具の先端を掛けて回転させて締め付けることは極めて作業性が悪く、作業中に無線機を傷付ける恐れがあるという欠点がある。
【０００５】
そこで本発明では、上記の欠点を除去することにより、小エリア用無線機のアンテナと簡易用無線機のアンテナとを同じ構造となるようにすること、及びサービスマンが容易にアンテナの着脱作業を行うことができるようにすると共に、サービスマン以外の者による違法改造を防ぐことができる構造の無線機を提供することを目的とする。
【０００６】
【課題を解決するための手段】
本発明では上記の目的を達成するため、アンテナにおいてはその先端円筒部の外周に水平方向の溝を設けると共に、無線機ハウジング側においては前記溝に対応した位置でラジアル方向にメネジを設けるようにしたものである。更に、前記メネジに特殊ネジを締め込むことにより、アンテナを固定する構造としたものである。
【０００７】
その結果、特殊ネジに合う工具をサービスマンが用いてアンテナを着脱することができるため、著しく生産性の良いアンテナ固定構造の小エリア用無線機を提供することができる。また、このアンテナ固定構造により、特殊ネジが装着されている以外、小エリア用無線機のアンテナを簡易用無線機のアンテナと同じ構造となるようにすることができる。
【０００８】
【発明の実施の形態】
本発明の一実施例である小エリア無線機用アンテナ固定部構造について図１〜３、図８、９を参照して説明する。図２は本実施例の無線機の外観を示す背面図、図３は本実施例の無線機におけるアンテナの構造を示す側面図（部分断面図）、図１は図３のアンテナ固定部の構造を示す部分拡大図（断面図）、図８は特殊ネジの外観を示す斜視図、図９は特殊ネジがメネジに締め込まれた状態を示す断面図である。アンテナ接栓２はシャーシ３にネジ９と板ナット８により固定されている。アンテナ１は外周に水平な溝１ｅを有する金属円筒部１ｄがあり、外皮１ｂと金属円筒部１ｄは一体で構成されている。ハウジング４の背面からメネジ５ａを有するスペーサ５が挿入されており、メネジ５ａに特殊ネジ６が締め付けられている（ハウジング４とスペーサ５を一体にして１つの部品としてもよい）。更に、特殊ネジ６を締め付けた後、シール７を貼り付けるための凹部４ａがハウジング４の背面に設けられている。
【０００９】
従って、本実施例の小エリア用無線機の場合、メネジ１ａにオネジ２ａを締め付けた後、特殊ネジ６を溝１ｅに食い込ませてシール７を貼り付けることにより、アンテナ１を固定する構造となっている。その結果、シール７により特殊ネジ６及びメネジ５ａが外から見えないようにしているため、サービスマン以外の者がアンテナ１を取り外すことが困難な構造になっている。しかし、特殊ネジ６に六角穴付き止めネジ（ＪＩＳ  Ｂ  １１７７（１９９７年版）で規定されているネジ）を用いた場合、サービスマン以外の者がシール７を取ったことで特殊ネジ６及びメネジ５ａを発見したとき、六角棒スパナ（ＪＩＳ  Ｂ  ４６４８（１９９４年版）で規定されているスパナ）で特殊ネジ６を取り外した後、外皮１ｂを回してアンテナ１を取り外すことが有る。その結果、サービスマン以外の者による違法改造を確実に防止することはできない。
【００１０】
そこで、特殊ネジ６を用いるのではなく、図８に示す特殊ネジ１４（サービスマンのみが所持している工具でしか着脱を行うことができない特殊ネジ）を用いて、図９に示すようにメネジ５ａに締め付けることにより、サービスマン以外の者による違法改造を確実に防止することができるようにする。
【００１１】
また、本実施例の無線機に特殊ネジ（図１記載の特殊ネジ６及び図８記載の特殊ネジ１４）を装着しない場合、簡易用無線機として使用することができるため、小エリア用無線機のアンテナと簡易用無線機のアンテナとを同じ構造となるようにすることができる。
【００１２】
【発明の効果】
本発明によれば、小エリア用無線機のアンテナと簡易用無線機のアンテナとを同じ構造となるようにすることができる。更に、アンテナの着脱作業をサービスマンが容易に行うことができると共に、サービスマン以外の者による違法改造を防ぐことができる。従って、極めて生産性の良いと共に、違法改造を確実に防止できる無線機を提供することができる。
【図面の簡単な説明】
【図１】本発明の一実施例である無線機のアンテナ固定部の構造を示す部分拡大図。
【図２】本発明の一実施例である無線機の外観を示す背面図。
【図３】本発明の一実施例である無線機のアンテナの構造を示す側面図。
【図４】従来の一例である無線機のアンテナ固定部の構造を示す部分拡大図。
【図５】従来の一例である無線機におけるアンテナの構造を示す側面図。
【図６】従来の一例である無線機の外観を示す背面図。
【図７】従来の一例である無線機におけるアンテナの着脱方法を示す斜視図。
【図８】本発明の一実施例である無線機に用いる特殊ネジの外観を示す斜視図。
【図９】本発明の一実施例である無線機に用いる特殊ネジがメネジに締め込まれた状態を示す断面図。
【符号の説明】
１：アンテナ                                ２：アンテナ接栓
３：シャーシ                                ４：ハウジング
５：スペーサ                                ６：特殊ネジ
７：シール                                                ８：板ナット
９：ネジ                                        １０：コイルバネ
１１：外筒                                                １２：軸
１３：工具                                                １４：特殊ネジ
１ａ：メネジ                                １ｂ：外皮
１ｃ：溝                                        １ｄ：金属円筒部
１ｅ：溝                                        ２ａ：オネジ
４ａ：凹部                                                ５ａ：メネジ
【図１】
2004253841.tif 000003
【図２】
2004253841.tif 000004
【図３】
2004253841.tif 000005
【図４】
2004253841.tif 000006
【図５】
2004253841.tif 000007
【図６】
2004253841.tif 000008
【図７】
2004253841.tif 000009
【図８】
2004253841.tif 000010
【図９】
2004253841.tif 000011